(57)【要約】【課題】使用時にバッテリをロックでき、不使用時にバッテリの取出しを容易にした電子機器を提供する。【解決手段】デジタルスチルカメラのカメラ本体１１にはレンズバリア２０が設けられている。バッテリ３０はバッテリ収納室３１の内部に収納され、カメラ本体１１の底面部１１ｃから出し入れすることができる。レンズバリア２０に設けられた摺動ピン２５は、レンズバリア２０を閉じた時にテーパカム３３を押し下げ、ねじりバネ３５を弾性変形させる。ロック爪３２はねじりバネ３５の力でバッテリ３０を押し上げる方向に回動し、バッテリ３０を保持する。レンズバリア２０が開いた状態ではロック爪３２を容易に退かすことができ、バッテリ３０を容易に取り出せる。【選択図】図３
2007280835.tif 000002
【特許請求の範囲】
【請求項１】
電力が供給されるオン位置と電力が遮断されるオフ位置との間で切り替えられる電源スイッチを操作するための可動部材と、機器本体側と電気的に接続される着脱自在な着脱部品が収納される収納部とを備えた電子機器において、
前記可動部材が前記電源スイッチのオン位置に操作された際に、前記着脱部品を保持するための保持力を発生させる保持力発生手段と、
前記保持力により前記着脱部品の移動を阻止するロック手段を備えたことを特徴とする電子機器。
【請求項２】
前記保持力発生手段は、前記可動部材が操作された力を前記ロック手段に伝達する伝達手段を備えていることを特徴とする請求項１に記載の電子機器。
【請求項３】
前記伝達手段は、前記可動部材が操作される力を受けて弾性変形し、その復元力を前記保持力として得る弾性体を備え、
前記弾性体は、前記可動部材が前記オフ位置に操作された時に、前記可動部材が前記オン位置に操作された時よりも小さい保持力で前記着脱部品を保持することを特徴とする請求項２に記載の電子機器。
【請求項４】
前記伝達手段は、前記弾性体としてねじりバネを備え、
前記ロック手段は回動自在に設けられ、前記着脱部品の端面を押さえる爪部を有し、
前記ねじりバネは、前記可動部材が前記オン位置に操作された時に弾性変形し、その復元力を前記ロック手段に伝達することを特徴とする請求項３に記載の電子機器。
【請求項５】
前記伝達手段は、前記弾性体として圧縮バネを備え、
前記ロック手段は、前記着脱部品の端面を押さえる爪部を有しており、
前記圧縮バネは、前記可動部材が前記オン位置に操作された時に弾性変形し、その復元力を前記ロック手段に伝達することを特徴とする請求項３に記載の電子機器。
【請求項６】
前記可動部材は、前記着脱部品の着脱時の方向と垂直な方向に操作され、
前記伝達手段は、前記可動部材が操作される方向の力を、前記着脱部品の着脱時の方向の力に変換するカムを備えていることを特徴とする請求項５に記載の電子機器。
【請求項７】
前記伝達手段は、前記可動部材と前記ロック手段にそれぞれ取付けられた磁石を備え、
前記可動部材が前記オン位置に操作された時に、互いの磁石を接近させた時の磁力を前記保持力として前記ロック手段に伝達することを特徴とする請求項２に記載の電子機器。
【請求項８】
前記ロック手段は、前記着脱部品の側面に密着し、密着した面の摩擦力を前記保持力として得る圧接部を備えていることを特徴とする請求項１又は２に記載の電子機器。
【請求項９】
前記可動部材を前記オン位置に向けて付勢する付勢バネを備えていることを特徴とする請求項１ないし８のいずれか１つに記載の電子機器。
【請求項１０】
前記収納部は、電源となるバッテリを前記着脱部品として収納するバッテリ収納室であることを特徴とする請求項１ないし９のいずれか１つに記載の電子機器。
【請求項１１】
前記可動部材として撮影レンズを露呈する開放位置と撮影レンズを覆う閉鎖位置との間で移動するレンズバリアを備え、前記レンズバリアの開放位置が前記電源スイッチのオン位置に設定された撮影装置として構成されていることを特徴とする請求項１ないし１０のいずれか１つに記載の電子機器。
【発明の詳細な説明】
【技術分野】
【０００１】
本発明は、バッテリ等の着脱部品をロックして収納する収納部を備えた電子機器に関する。
【背景技術】
【０００２】
デジタルスチルカメラや携帯電話機等の持ち運びができる携帯電子機器が普及している。一般の携帯電子機器は、乾電池や充電池を電源として駆動するため、電源となる各種のバッテリを収納するためのバッテリ収納室を備えている。バッテリ収納室にはバッテリを出し入れするための開口部が形成されており、収納されたバッテリが脱落しないように開口部には蓋が取付けられる。
【０００３】
従来の電子機器は、誤って落とした際の衝撃が原因で開口部の蓋が外れた場合にバッテリが外部に飛び出してしまうことがある。不揮発性メモリ等に情報を記録する電子機器では、情報の記録中に電源が遮断されると、記録中及び記録済みの情報が失われたり、メモリの故障を引き起こすことがある。そこで、衝撃等によるバッテリの飛び出しを防止し、使用中に電源が遮断される事故が発生しないように、バッテリのロック及びアンロックを行うための操作部材をさらにロックできる二重ロック構造を有する電子機器が知られている（特許文献１，２参照）。
【特許文献１】特開平１０−２７５６０５号公報
【特許文献２】特開２００５−５０７５３号公報
【発明の開示】
【発明が解決しようとする課題】
【０００４】
しかしながら、バッテリの脱落を防止する従来の二重ロック構造では、電子機器が使用中であるか否かに関係なく、バッテリのロックが本来不要である未使用時にもバッテリを厳重にロックしてしまうため、バッテリ交換を行う際にはロックを解除するために手間がかかるという問題がある。これは、デジタルスチルカメラのようにバッテリの交換頻度が高い電子機器に用いるには不便である。
【０００５】
本発明は上記問題点を考慮し、電源が入った状態でバッテリ等の着脱部品が外れることを防止し、バッテリ交換時には手間をかけずにバッテリを取り出すことが可能な電子機器を提供することを目的とする。
【課題を解決するための手段】
【０００６】
上記目的を達成するため、本発明は、電力が供給されるオン位置と電力が遮断されるオフ位置との間で切り替えられる電源スイッチを操作するための可動部材と、機器本体側と電気的に接続される着脱自在な着脱部品が収納される収納部とを備えた電子機器において、前記可動部材が前記電源スイッチのオン位置に操作された際に、前記着脱部品を保持するための保持力を発生させる保持力発生手段と、前記保持力により前記着脱部品の移動を阻止するロック手段を備えたことを特徴とする。
【０００７】
前記保持力発生手段は、前記可動部材が操作された力を前記ロック手段に伝達する伝達手段を備えていることを特徴とする。
【０００８】
前記伝達手段は、前記可動部材が操作される力を受けて弾性変形し、その復元力を前記保持力として得る弾性体を備え、前記弾性体は、前記可動部材が前記オフ位置に操作された時に、前記可動部材が前記オン位置に操作された時よりも小さい保持力で前記着脱部品を保持することを特徴とする。
【０００９】
前記伝達手段は、前記弾性体としてねじりバネを備え、前記ロック手段は回動自在に設けられ、前記着脱部品の端面を押さえる爪部を有し、前記ねじりバネは、前記可動部材が前記オン位置に操作された時に弾性変形し、その復元力を前記ロック手段に伝達することを特徴とする。
【００１０】
前記伝達手段は、前記弾性体として圧縮バネを備え、前記ロック手段は、前記着脱部品の端面を押さえる爪部を有しており、前記圧縮バネは、前記可動部材が前記オン位置に操作された時に弾性変形し、その復元力を前記ロック手段に伝達することを特徴とする。
【００１１】
前記可動部材は、前記着脱部品の着脱時の方向と垂直な方向に操作され、前記伝達手段は、前記可動部材が操作される方向の力を、前記着脱部品の着脱時の方向の力に変換するカムを備えていることを特徴とする。
【００１２】
前記伝達手段は、前記可動部材と前記ロック手段にそれぞれ取付けられた磁石を備え、前記可動部材が前記オン位置に操作された時に、互いの磁石を接近させた時の磁力を前記保持力として前記ロック手段に伝達することを特徴とする。
【００１３】
前記ロック手段は、前記着脱部品の側面に密着し、密着した面の摩擦力を前記保持力として得る圧接部を備えていることを特徴とする。
【００１４】
前記可動部材を前記オン位置に向けて付勢する付勢バネを備えたことを特徴とする。
【００１５】
前記収納部は、電源となるバッテリを前記着脱部品として収納するバッテリ収納室であることを特徴とする。
【００１６】
前記可動部材として撮影レンズを露呈する開放位置と撮影レンズを覆う閉鎖位置との間で移動するレンズバリアを備え、前記レンズバリアの開放位置が前記電源スイッチのオン位置に設定された撮影装置として構成されていることを特徴とする。
【発明の効果】
【００１７】
本発明によれば、可動部材の操作による電源スイッチのオンとオフに連動して、ロック手段により着脱部品をロックするか否かが決定され、電源オンの時に着脱部品をロックし、電源オフの時に着脱部品のロックを解除することができる。これにより、電源オンの時にバッテリ等の着脱部品が外部に飛び出すことがなくなり、急に電源が遮断された時にメモリ回路等に記憶された情報が消失することやその他の精密部品等が故障することを防ぐことができる。また、電源オフの時はロック手段に伝達される保持力が減少してロック手段を容易に退けることができるから、着脱部品の取出しに手間がかからず、従来技術の不便な点を解消できる。
【発明を実施するための最良の形態】
【００１８】
図１において、本発明を適用したデジタルスチルカメラ１０は、略直方体形状のカメラ本体１１を備えている。カメラ本体１１には、その前面部１１ａに撮影レンズ１２とファインダ１３とストロボ発光部１４が設けられている。カメラ本体１１の上面部１１ｂには撮影モードと再生モードを切換えるためのモードスイッチ１５と、撮影ボタン１６が設けられている。カメラ本体１１には、撮影レンズ１２とファインダ１３を保護するレンズバリア２０が設けられている。レンズバリア２０は、カメラ本体１１の前面部１１ａにスライド自在に設けられ、撮影レンズ１２を覆う位置と撮影レンズ１２を露呈する位置との間で移動する。
【００１９】
図２において、カメラ本体１１の前面部１１ａには、レンズバリア２０により覆われる領域にレンズバリア２０を水平方向にガイドする２本のガイド溝２１及びガイド溝２２が設けられている。レンズバリア２０の背面には、ガイド溝２１を摺動する摺動ピン２４と、ガイド溝２２を摺動する摺動ピン２５とが設けられている。摺動ピン２４と摺動ピン２５は、ガイド溝２１とガイド溝２２に挿通され、ガイド溝２１及びガイド溝２２の裏側から抜止め用の部材がそれぞれ取付けられる。これによりレンズバリア２０はカメラ本体１１に対してスライド自在に保持される。
【００２０】
カメラ本体１１の前面部１１ａには、ガイド溝２１とガイド溝２２の間の位置に電源スイッチとなる電源端子２６ａ及び２６ｂが設けられている。レンズバリア２０には、電源端子２６ａ及び２６ｂに接触する導電板２７が設けられている。レンズバリア２０が完全に開いた状態では、導電板２７によって電源端子２６ａと電源端子２６ｂとが接続され、電源がオンになる。一方、レンズバリア２０が少しでも閉じられると電源端子２６ａと電源端子２６ｂとが接続されず、電源がオフになる。
【００２１】
図３において、カメラ本体１１の内部には、デジタルスチルカメラ１０の電源となるバッテリ３０を収納するためのバッテリ収納室３１が設けられている。バッテリ３０は、例えば四角形の板状であり、充電が可能な二次電池からなる。バッテリ収納室３１は、バッテリ３０の電極に接触する端子を有し、カメラ本体１１の底面部１１ｃに設けられた蓋を開放するとバッテリ３０を出し入れすることができる。バッテリ３０は、レンズバリア２０をスライド操作して導電板２７により電源端子２６ａと電源端子２６ｂとが接続された時にデジタルスチルカメラ１０に電力を供給する。
【００２２】
カメラ本体１１の内部には、バッテリ収納室３１に収納されたバッテリ３０をロックするロック爪３２が設けられている。ロック爪３２は、カメラ本体１１の底面部１１ｃの方向からバッテリ３０の端面を押さえる爪部３２ａを有しており、バッテリ３０が動かないように保持する。ロック爪３２の上方には、摺動ピン２５がガイド溝２２をスライドする時に、摺動ピン２５によって下方向に押圧されるテーパ面３３ａを有するテーパカム３３が設けられている。テーパカム３３は台形状であり、上下方向に移動自在に支持されている。
【００２３】
図４において、ロック爪３２には、ねじりバネ３５が挿通される回動軸３６が設けられている。回動軸３６はカメラ本体１１に支持され、ロック爪３２が回動自在に支持される。ロック爪３２は、ねじりバネ３５の他端部３５ｂを受けるバネ受け面３８を有する。ねじりバネ３５の他端部３５ｂは、ねじりバネ３５が弾性変形した際にバネ受け面３８を押圧し、ロック爪３２を爪部３２ａが設けられている方向に回動させる。
【００２４】
図５において、レンズバリア２０を開放する方向に操作した時、摺動ピン２５がガイド溝２２をスライドし、摺動ピン２５がテーパカム３３のテーパ面３３ａに接触する。摺動ピン２５がさらにスライドすると、テーパカム３３のテーパ面３３ａが摺動ピン２５に押圧される。テーパカム３３はテーパ面３３ａに沿って移動する摺動ピン２５の力を受けて下方向に移動する。テーパカム３３には、ねじりバネ３５の一端部３５ａと接触するバネ掛け用の突起３３ｂが設けられている。テーパカム３３が下方向に押圧されると、テーパカム３３の突起３３ｂがねじりバネ３５の一端部３５ａを押圧する。ねじりバネ３５の他端部３５ｂはロック爪３２のバネ受け面３８に押し付けられ、テーパカム３３がさらに移動するとねじりバネ３５が弾性変形する。
【００２５】
ねじりバネ３５が弾性変形すると、他端部３５ｂがバネ受け面３８を押圧し、ロック爪３２を爪部３２ａの方向（図中矢印方向）に回動させる。ロック爪３２の爪部３２ａは、バッテリ収納室３１に収納されたバッテリ３０の端面に押し付けられ、バッテリ３０を上方向に押し上げる。バッテリ３０はロック爪３２によりバッテリ収納室３１の内部に保持され、動かないように固定される。
【００２６】
次に本発明の作用を説明する。デジタルスチルカメラ１０を使用する際にはレンズバリア２０を開き、撮影レンズ１２等を露呈させる。摺動ピン２４と摺動ピン２５はガイド溝２１及びガイド溝２２を摺動し、レンズバリア２０が水平方向にスライドする。摺動ピン２５は、レンズバリア２０が完全に開く前にテーパカム３３に接触し、テーパカム３３を下方向に押し下げる。テーパカム３３はねじりバネ３５を弾性変形させる。ロック爪３２はねじりバネ３５から回動軸３６を中心に回動する方向の力を受ける。バッテリ３０は、ロック爪３２によってバッテリ収納室３１の内部に固定される。これにより、レンズバリア２０を開放した状態でバッテリ収納室３１の蓋を開いてもバッテリ３０は外れない。また、ロック爪３２は弾性変形しているねじりバネ３５の復元力によってバッテリ３０を保持する力が強くなっており、レンズバリア２０を開放した状態でロック爪３２をバッテリ３０から指で取外すには大きな力が必要となる。
【００２７】
デジタルスチルカメラ１０を使い終わった時にはレンズバリア２０を閉じる。レンズバリア２０を閉じる操作を行うと、導電板２７が電源端子２６ａ及び電源端子２６ｂから離れ、デジタルスチルカメラ１０の電源がオフされる。また、レンズバリア２０を閉じる方向に操作した時、テーパカム３３を押し下げていた摺動ピン２４が移動するので、テーパカム３３はねじりバネ３５の復元力によって上方向に移動する。テーパカム３３が上方向に移動すると、ねじりバネ３５は自然状態に戻ろうとして復元力が減少するため、ロック爪３２がバッテリ３０を保持する力が減少する。
【００２８】
摺動ピン２５がテーパカム３３から離れると、ねじりバネ３５は自然状態に戻り、ロック爪３２がバッテリ３０を保持する力はほぼ消える。この時にロック爪３２をバッテリ３０から指で退けるとロック爪３２は容易に退き、バッテリ３０を容易に取出すことができる。
【００２９】
このように、デジタルスチルカメラ１０では、レンズバリア２０の開閉と電源スイッチのオンオフが連動しており、レンズバリア２０を開いて電源がオンした状態ではバッテリ３０が固定され、レンズバリア２０を閉じて電源をオフした状態ではバッテリ３０の固定が解除されるので、電源オンの状態でバッテリが外れることを防止でき、電源オフの状態ではバッテリ３０を容易に取出すことができる。
【００３０】
次に第２実施形態を図６に示す。上述した第１実施形態では、摺動ピン２５がねじりバネ３５を弾性変形させて生じる復元力をロック爪３２に伝達し、ロック爪３２によってバッテリ３０を押さえている。これに対し、第２実施形態では、摺動ピン２５とロック爪３２とが圧縮バネ４０によって連結されている。レンズバリア２０が閉じている時、圧縮バネ４０はほぼ自然状態である。一方、レンズバリア２０を開いた時、摺動ピン２５はロック爪３２に近づく方向に移動し、圧縮バネ４０が圧縮する。
【００３１】
カメラ本体１１とレンズバリア２０はオメガバネ４１によって連結されている。例えば、カメラ本体１１にはオメガバネ４１の一端部と中心部を保持する軸が設けられ、レンズバリア２０には、オメガバネ４１の他端部を保持する軸が設けられている。オメガバネ４１はレンズバリア２０が開く方向にレンズバリア２０を付勢する。オメガバネ４１の復元力が圧縮バネ４０の復元力を上回るようにすれば、レンズバリア２０を開くことで圧縮バネ４０が圧縮変形してもレンズバリア２０が閉じる方向に押し戻されず、圧縮バネ４０の復元力をロック爪３２に効率よく伝達できる。なお、オメガバネ４１によってレンズバリア２０が閉じた状態に保てなくなる不都合が生じないように、レンズバリア２０を閉じた状態ではレンズバリア２０をカメラ本体１１に固定できるようにすることが望ましい。
【００３２】
ロック爪３２は回動自在に設けられており、圧縮バネ４０が圧縮するとロック爪３２は回動し、バッテリ３０の端面がロック爪３２に保持される。バッテリ３０がロック爪３２を保持する力は圧縮バネ４０の復元力によって決まる。すなわち、レンズバリア２０が閉じた状態ではロック爪３２がバッテリ３０を保持する力は小さく、レンズバリア２０が開いた状態ではロック爪３２がバッテリ３０を保持する力が大きい。これにより、レンズバリア２０が閉じている電源オフの状態ではバッテリ３０を取出すことが容易であり、レンズバリア２０が開いている電源オンの状態ではバッテリ３０がロック爪３２によって確実に保持される。
【００３３】
次に第３実施形態を説明する。図７及び図８において、ロック爪３２には板状の磁石５０が取付けられている。摺動ピン２５には棒状の磁石５１が取付けられている。磁石５０と磁石５１はＮ極の同じ磁極が対向するように設けられている。ロック爪３２には、バッテリ３０の未装着時でもロック爪３２を一定の位置で静止した状態に保つためにねじりバネ５２が設けられている。
【００３４】
レンズバリア２０を開く操作を行うと、摺動ピン２５に設けられた磁石５１が磁石５０に接近し、互いの斥力によってロック爪３２が摺動ピン２５から離れる方向の力が働く。ロック爪３２は、磁石５０及び磁石５１の斥力によって回動し、バッテリ３０の端面を押し上げ、バッテリ３０を保持する。レンズバリア２０を閉じる操作を行うと、磁石５１が磁石５０から離れるので、ロック爪３２に働く磁力が消える。この状態では、ロック爪３２を指で押し退けることができ、バッテリ３０を容易に取出すことができる。なお、本実施形態では、磁石の斥力によってレンズバリア２０が押し戻されることを考慮して、上記第２実施形態と同様にレンズバリア２０をこれが開く方向にバネを用いて付勢することが好ましい。
【００３５】
次に第４実施形態について説明する。レンズバリア２０には、先端部に柔軟体としてゴム板６０が取付けられた押圧突起６１が設けられている。押圧突起６１はレンズバリア２０と一体であり、レンズバリア２０を開閉する方向と同じ方向に移動する。レンズバリア２０を開く操作を行うと、ゴム板６０がバッテリ収納室６２に設けられている開口部６３に押圧突起６１が進入し、圧接部としてのゴム板６０がバッテリ３０の側面部に圧接される。ゴム板６０とバッテリ３０の側面部との間には、圧接力に比例した摩擦力が働き、この摩擦力によってバッテリ３０がバッテリ収納室６２の内部に保持される。一方、レンズバリア２０を閉じる操作を行った時はゴム板６０がバッテリ３０の側面部から離れるのでバッテリ３０の取出しは容易に行える。
【００３６】
以上のように本発明の複数の実施形態について説明したが、本発明は、デジタルスチルカメラと異なる他の電子機器に適用することができる。例えば、バッテリを使用する携帯電子機器として、携帯電話機やコンピュータ端末等に本発明を適用することができる。また、機器本体に着脱される着脱部品としては、バッテリの他にメモリカードやＩＣカード等の情報記憶媒体を適用してもよい。また、着脱部品を保持するために、可動部材を移動する際の力を伝達して着脱部品を保持する保持力を得ているが、例えばソレノイド等の駆動源と可動部材の位置を検知するセンサを設け、可動部材を電源オンの位置に操作した時に着脱部品を保持する保持力を駆動源により発生させ、可動部材を電源オフの位置に操作した時に保持力が減少（消失）するようにしてもよい。
【図面の簡単な説明】
【００３７】
【図１】デジタルスチルカメラの斜視図である。
【図２】カメラ本体とレンズバリアの斜視図である。
【図３】ロック爪及びカムを示す平面図である。
【図４】ロック爪とねじりバネの斜視図である。
【図５】ロック爪とカムの拡大図である。
【図６】第２実施形態を示す平面図である。
【図７】第３実施形態のロック爪を示す拡大図である。
【図８】第３実施形態のロック爪を示す斜視図である。
【図９】第４実施形態としてゴム部を有する押圧突起を示す斜視図である。
【符号の説明】
【００３８】
１０  デジタルスチルカメラ
１２  撮影レンズ
２０  レンズバリア
２１，２２  ガイド溝
２４，２５  摺動ピン
２７  導電板
３０  バッテリ
３１  バッテリ収納室
３２  ロック爪
３２ａ  爪部
３３  カム
３３ａ  テーパ面
３３ｂ  突起
３５  ねじりバネ
３６  回動軸
３８  バネ受け面
４０  圧縮バネ
４１  オメガバネ
５０，５１  磁石
５２  ねじりバネ
６０  ゴム板
６１  押圧突起
６２  バッテリ収納室
６３  開口部
【図１】
2007280835.tif 000003
【図２】
2007280835.tif 000004
【図３】
2007280835.tif 000005
【図４】
2007280835.tif 000006
【図５】
2007280835.tif 000007
【図６】
2007280835.tif 000008
【図７】
2007280835.tif 000009
【図８】
2007280835.tif 000010
【図９】
2007280835.tif 000011